(57)【要約】【課題】  簡単な構造により抜けにくくすると共に加工物への進入量を低減して作業性を向上させることができ、さらには進入に際して傾くことを抑止できる構成を備えた釘を提供する。【解決手段】  軸部１Ａの一端に位置する頭部１Ａ１を押打することで加工物Ｔ内に進入させて加工物Ｔの固定を行う釘１であって、軸部１Ａ内部は、頭部１Ａ１からテーパ面１Ｂに至る軸方向の全範囲が貫通されて中空となっており、加工物Ｔ内に進入する側である軸部の他端に位置する先端部１Ａ２の内部が、先端に向かうに従って内径が拡大するテーパ面１Ｂとされ、テーパ面１Ｂがこれの周方向に沿って複数設けられたスリット１Ｃによって分割され、加工物Ｔ内に進入するに従ってテーパ面１Ｂを拡開することを特徴としている。【選択図】        図１
2009287622.tif 000002
【特許請求の範囲】
【請求項１】
軸部の一端に位置する頭部を押打することで打ち込み対象物内に進入させて打ち込み対象物の固定を行う釘であって、
前記軸部内部は、前記頭部から前記テーパ面に至る軸方向の全範囲が貫通されて中空となっており、
前記打ち込み対象物内に進入する側である軸部の他端に位置する先端部の内部が、先端に向かうに従って内径が拡大するテーパ面とされ、このテーパ面がこれの周方向に沿って複数設けられたスリットによって分割されていることを特徴とする釘。
【請求項２】
前記テーパ面の先端部が、前記打ち込み対象物に進入するに従い打ち込み対象物から受ける進入抵抗により拡開することを特徴とする請求項１に記載の釘。
【発明の詳細な説明】
【技術分野】
【０００１】
本発明は、釘に関し、さらに詳しくは、エアハンマーによる打ち込みに適し、かつ、抜け難くするための構造を備えた釘に関する。
【背景技術】
【０００２】
木材や石膏ボードなどの固定に用いられる釘は、長手方向一方の先端部が錐状をなし、これと反対側の頭部をハンマーなどにより押打することによって木材や石膏ボード内に打ち込む構造が多用されている。
【０００３】
一方、釘は、作業者が手に持ったハンマーなどによって押打されるだけでなく、近年では、押打の際の労力軽減のためにエアハンマー等を用いて打ち込まれることがある。
エアハンマーには、使用する釘を多数収容するマガジンを装着するものであり、ハンマーへの釘のセットを自動的に行う構成もある（例えば、特許文献１参照）。
【０００４】
エアハンマーに用いる釘に限らず、従来一般の釘は、全体が充実した内部空間のない釘であるが、かかる釘は曲げ応力に対した曲がりやすく、エアハンマーに用いた場合に打ち込み方向が曲がりやすいという難点があることから、本発明者らは、釘本体の先端部を除きかつ頭部を含む後端側に、軸方向の中空部を形成してなる釘を提案した特許文献２参照）。ハンマーの先端部にガイド部を設けてこのガイド部に上記中空部を嵌め、ガイド部により中空部がガイドされながら押打されることを狙ったものである。内部空間を有することにより、曲げ応力に対して曲がりにくいという効果も狙っている。
【０００５】
【特許文献１】特開２００７−３１３５７８号
【特許文献２】特開２００１−３３００１３号
【発明の開示】
【発明が解決しようとする課題】
【０００６】
従来の釘は、打ち込み対象物内に進入する側である軸部先端部の形状が錐状であることから、打ち込みに際して傾きやすい。
このため、打ち込み始める際には釘が傾かないように注意する必要があり、作業性が悪くなる虞がある。
【０００７】
一方、打ち込み対象物内に打ち込まれた釘は、抜けないようにするために、かなりのストローク、つまり、打ち込み対象物内での進入量を多くしなければならない。このため、押打時間も長くなるばかりでなく、釘の寸法によっては材料コストが高くなる虞がある。
【０００８】
本発明の目的は、エアハンマーによる打ち込みに適していて、簡単な構造により抜けにくくすると共に打ち込み対象物への進入量を低減して作業性を向上させることができ、さらには進入に際して傾くことを抑止できる構成を備えた釘を提供することにある。
【課題を解決するための手段】
【０００９】
この目的を達成するため、本発明は次の特徴よりなる。
（１）軸部の一端に位置する頭部を押打することで打ち込み対象物内に進入させて打ち込み対象物の固定を行う釘であって、
前記軸部内部は、前記頭部から前記テーパ面に至る軸方向の全範囲が貫通されて中空となっており、
前記打ち込み対象物内に進入する側である軸部の他端に位置する先端部の内部が、先端に向かうに従って内径が拡大するテーパ面とされ、このテーパ面がこれの周方向に沿って複数設けられたスリットによって分割されていることを特徴とする。
【００１０】
（２）前記テーパ面の先端部は、前記打ち込み対象物に進入するに従い打ち込み対象物から受ける進入抵抗により拡開するようになっている。
【発明の効果】
【００１１】
本発明によれば、軸部の内部は、頭部から前記テーパ面に至る軸方向の全範囲が貫通されて中空となっているので、エアハンマーを使用して打ち込むとき、上記中空部をエアハンマー側でガイドすることが可能となり、打ち込み時の直進性を高めることができる。
また、打ち込み対象物に進入する側の軸部先端部の内部に、先端に行くに従い拡径するテーパ面が設けられ、テーパ面が進入に従い拡開するようになっているので、打ち込み後の抜けが防止される。しかも、この抜けの防止が拡開したテーパ面の抵抗力を利用して行えるので、打ち込み量、つまり釘の長さを長くしなくて済む。
【００１２】
さらに、打ち込みに際して打ち込み対象物に当てる先端部が錐状でなくても良く、よって、平坦な先端端面を打ち込み対象物に当てることができるので、傾きを抑えて打ち込み作業を行うことができる。
【発明を実施するための最良の形態】
【００１３】
以下、図面により本発明を実施するための最良の形態について説明する。
図１は、本発明にかかる釘１の実施例を示す断面図である。同図において釘１は、軸部１Ａの長手方向一端に位置する頭部１Ａ１と長手方向他端に位置する先端部１Ａ２との間が長手方向全体にわたって貫通されて中空となっている。
【００１４】
軸部１Ａの先端部１Ａ２は、打ち込み対象物内に進入する部分であり、内部にテーパ面１Ｂが設けられている。
テーパ面１Ｂは、先端部１Ａ２の最先端に向かうに従って内径が拡大する構成とされていて、先端の縦断面は鋭く尖っている。テーパ面１Ｂは、先端部１Ａ２の内部に設けられているので、先端部１Ａ２の最先端は、軸線方向に対し直角をなす面で切断された円形になっている。
【００１５】
図２は、先端部１Ａ２の拡大図である。同図において先端部１Ａ２の内部に設けられているテーパ面１Ｂは、その周方向に沿って設けられている複数のスリット１Ｃによって周方向に複数に分割されている。これにより、先端部１Ａ２の最先端面から木材などの打ち込み対象物に打ち込まれると、周方向で分割されているテーパ面１Ｂに打ち込み対象物からその打ち込み方向の力がかかる。この打ち込み方向の力はテーパ面１Ｂによって半径方向外側に向かう分力として作用し、この分力によって、図２に二点鎖線で示すように、先端部１Ａ２が拡開するようになっている。
【００１６】
本実施形態は以上のような構成であるから、図３に示すように打ち込み対象物Ｔに対して釘１の先端部１Ａ２を当てて頭部１Ａ１を押打すると、釘１が打ち込み対象物Ｔの内部に向け進入する。
【００１７】
釘１の先端部１Ａ２における最先端面は、釘の中心軸線に対して直角をなす面上にあるので、押打される前に打ち込み対象物Ｔに対して突き当てると、突き当てた状態で打ち込み対象物Ｔの面から直立させることができ、直立した状態で押打することができる。これにより、先端部が錐状の従来の釘と違って、傾きを抑制しやすい利点がある。
【００１８】
一方、図示の実施例にかかる釘１は、押打され始めると打ち込み対象物Ｔの内部に先端部１Ａ２を進入させることになるが、先端部１Ａ２は、最先端面が打ち込み対象物Ｔの内部に進入した際に受ける前述の分力によって、テーパ面１Ｂを外側に向けて拡開させることができる。
テーパ面１Ｂは、打ち込み対象物Ｔの内部に打ち込まれる度に打ち込み対象物Ｔからの抵抗を受けることにより徐々に拡開していくことができる。これにより、打ち込まれた直後に最大の拡開量とならず、打ち込みが終了した時点での拡開量がそれ以前の拡開量よりも大きくなるため、打ち込み終了時に打ち込み対象物Ｔの内部から抜けにくい状態で止まる。
【００１９】
このように、釘１を打ち込み対象物に打ち込むと、釘１の先端部のテーパ面１Ｂが拡開することで抜け止めができるので、打ち込み対象物Ｔ内に対する打ち込み量が少なくても抜け止めを行うことができる。この結果、釘の打ち込み長さ（図３において符号Ｌで示す長さ）、したがって釘１の長さを長くしなくても、長くした場合と同様の抜け止め効果があり、釘の加工に要する材料費を軽減することができる。
【００２０】
本実施形態においては、釘１が中空構造であるので、従来のものにおいて説明したと同じように、エアハンマーなどの自動打ち込み機を利用することもできる。この場合には、釘１の中空部内に自動打ち込み機側のガイドなどを挿入し、連続繰り出しを可能にして打ち込む。本実施形態では、釘１の頭部１Ａ１から先端部１Ａ２に至る範囲を貫通させているので、自動打ち込み機のガイド棒などに連続して挿入しておくことができる。自動打ち込み機側のガイドなどでガイドされながら打ち込むことができるため、打ち込み時の釘の直進性が向上する。
【図面の簡単な説明】
【００２１】
【図１】本発明にかかる釘の実施例を示す断面図である。
【図２】上記釘の先端部の拡大図である。
【図３】上記釘の使用状態を説明するための断面図である。
【符号の説明】
【００２２】
１  釘
１Ａ  軸部
１Ａ１  頭部
１Ａ２  先端部
１Ｂ  テーパ面
１Ｃ  スリット
Ｔ  打ち込み対象物
【図１】
2009287622.tif 000003
【図２】
2009287622.tif 000004
【図３】
2009287622.tif 000005